(57)【要約】【課題】エアフィルタユニットの外枠体に整流体を取り付けたときに、整流体に弛みが生じないようにすることにある。【解決手段】この整流体９の取付構造１１は、エアフィルタユニット５から下流側に吹き出る空気の整流を行う整流体９をエアフィルタユニット５の外枠体３１の下流側に取り付けるためのものであって、保持枠１３と、付勢機構１７とを備えている。保持枠１３は、整流体９を保持するとともにエアフィルタユニット５の外枠体３１に固定される。付勢機構１７は、整流体９が保持枠１３を介して外枠体１３に固定された固定状態で、整流体９の少なくとも１つの対向する所定部分が互いに離れる向きに引っ張られるよう整流体９を付勢する。【選択図】      図２
2004167323.tif 000002
【特許請求の範囲】
【請求項１】
エアフィルタユニット（５，４５，６５，８５，１０５）から吹き出る空気の整流を行う整流体（９，４９，６９，８９，１０９）を前記エアフィルタユニット（５，４５，６５，８５，１０５）の外枠体（３１，６０，８０，１００，１２０）の下流側に取り付けるための取付構造（１１，５１，７１，９１，１１１）であって、
前記整流体（９，４９，６９，８９，１０９）を保持するとともに前記エアフィルタユニット（５，４５，６５，８５，１０５）の外枠体（３１，６０，８０，１００，１２０）に固定される保持枠（１３，５３，７３，９３，１１３）と、
前記整流体（９，４９，６９，８９，１０９）が前記保持枠（１３，５３，７３，９３，１１３）を介して前記外枠体（３１，６０，８０，１００，１２０）に固定された固定状態で、前記整流体の外周部のうち少なくとも１つの対向する所定部分が互いに離れる向きに引っ張られるよう前記整流体（９，４９，６９，８９，１０９）を付勢する付勢手段と、
を備えた整流体の取付構造（１１，５１，７１，９１，１１１）。
【請求項２】
エアフィルタユニット（５，４５，６５，８５，１０５）から吹き出る空気の整流を行う可撓性を有する整流体（９，４９，６９，８９，１０９）を前記エアフィルタユニット（５，４５，６５，８５，１０５）の外枠体（３１，６０，８０，１００，１２０）の下流側に取り付けるための取付構造（１１，５１，７１，９１，１１１）であって、
前記整流体（９，４９，６９，８９，１０９）を保持するとともに前記エアフィルタユニット（５，４５，６５，８５，１０５）の外枠体（３１，６０，８０，１００，１２０）に固定される保持枠（１３，５３，７３，９３，１１３）と、
前記整流体（９，４９，６９，８９，１０９）が前記保持枠（１３，５３，７３，９３，１１３）を介して前記外枠体（３１，６０，８０，１００，１２０）に固定された固定状態で、前記整流体を上流側または下流側に付勢する付勢手段と、
を備えた整流体の取付構造（１１，５１，７１，９１，１１１）。
【請求項３】
前記付勢手段は、前記エアフィルタユニット（５，４５，６５，８５，１０５）の外枠体（３１，６０，８０，１００，１２０）または前記保持枠（１３，５３，７３，９３，１１３）に固定される固定部（２５）と、前記整流体（９，４９，６９，８９，１０９）を支持する支持部（２７）とを有している、請求項１または２に記載の整流体の取付構造（１１，５１，７１，９１，１１１）。
【請求項４】
前記付勢手段の固定部（２５）は、前記エアフィルタユニット（５）の外枠体（３１）と前記保持枠（１３）との間に挟持されて固定され、
前記付勢手段の支持部（２７）は、前記固定部（２５）と一体に形成され下流側に延びている、
請求項３に記載の整流体の取付構造（１１）。
【請求項５】
前記付勢手段の固定部（２５）は、前記保持枠（１３）に固定され、
前記付勢手段の支持部（２７）は、前記固定部（２５）と一体に形成され上流側に延びている、
請求項３に記載の整流体の取付構造（１１）。
【請求項６】
前記付勢手段は、前記保持枠（１３）と前記固定部（２５）との間に配置されかつ弾性を有する緩衝材（２１）と、前記保持枠（１３）、前記緩衝材（２１，４２）及び前記固定部（２５）を貫通して前記外枠体（３１）に締め付けるネジ部材（２３）とをさらに有している、請求項４に記載の整流体の取付構造（１１）。
【請求項７】
前記付勢部材の支持部（２７）は、前記整流体（９）に対し湾曲面により当接するよう形成されている、請求項３から６のいずれかに記載の整流体の取付構造（１１）。
【請求項８】
前記付勢手段は、前記エアフィルタユニット（４５）の外枠体（６０）と前記整流体（４９）の前記所定部分との間に挟持されている、請求項１から３のいずれかに記載の整流体の取付構造（５１）。
【請求項９】
前記付勢手段は、前記保持枠（１３，５３，７３，９３，１１３）から延びて形成されるとともに前記整流体（９，４９，６９，８９，１０９）を上流側または下流側に付勢するような弾性を有している、請求項１から３のいずれかに記載の整流体の取付構造（１１，５１，７１，９１，１１１）。
【請求項１０】
前記保持枠（７３）の下流側に配置されるとともに下流側の端部が前記固定状態での整流体（６９）の位置よりも下流側に位置する保護部材（７７）をさらに備えた、請求項１から９のいずれかに記載の整流体の取付構造（７１）。
【請求項１１】
前記エアフィルタユニット（５，４５，６５，８５，１０５）は矩形状であり、
前記整流体（９，４９，６９，８９，１０９）及び保持枠（１３，５３，７３，９３，１１３）は前記エアフィルタユニット（５，４５，６５，８５，１０５）の形状に対応する形状に形成されている、
請求項１から１０のいずれかに記載の整流体の取付構造（１１，５１，７１，９１，１１１）。
【請求項１２】
前記保持枠（１３，５３，７３，９３，１１３）は、対向する２つの直線部（１３ａ，１１３ａ）を２つ有し、
前記付勢手段は、前記保持枠（１３，５３，７３，９３，１１３）の直線部（１３ａ，１１３ａ）に沿って配置されるとともに、前記直線部（１３ａ，１１３ａ）同士が隣接する部分の近傍では下流側への付勢力を緩和するよう構成されている、
請求項１１に記載の整流体の取付構造（１１，５１，７１，９１，１１１）。
【請求項１３】
請求項１から１２のいずれかに記載の整流体の取付構造（１１，５１，７１，９１，１１１）と、
前記取付構造（１１，５１，７１，９１，１１１）により前記エアフィルタユニット（５，４５，６５，８５，１０５）の外枠体（３１，６０，８０，１００，１２０）に取り付けられる前記整流体と、
を備えた整流ユニット（３，４３，６３，８３，１０３）。
【請求項１４】
前記整流体（９，４９，６９，８９，１０９）は、前記対向する所定部分の間を横切る少なくとも１つの折り目を有している、請求項１３に記載の整流ユニット（３，４３，６３，８３，１０３）。
【請求項１５】
請求項１３または１４に記載の整流ユニット（３，４３，６３，８３，１０３）と、
前記整流ユニット（３，４３，６３，８３，１０３）が装着される外枠体（３１，６０，８０，１００，１２０）を有する前記エアフィルタユニット（５，４５，６５，８５，１０５）と、
を備えた整流エアフィルタ（１，４１，６１，８１，１０１）。
【請求項１６】
前記エアフィルタユニット（５，４５，６５，８５，１０５）は、前記外枠体（３１，６０，８０，１００，１２０）の内側に収納されるエアフィルタ濾材（３３）をさらに有し、
前記エアフィルタ濾材（３３）の下流側を覆うよう前記エアフィルタ濾材（３３）と前記整流体（９，４９，６９，８９，１０９）との間に配置され、多数の貫通孔が設けられたプレート部材（７，６７，１０７）
請求項１５に記載の整流エアフィルタ（１，４１，６１，８１，１０１）。
【発明の詳細な説明】
【０００１】
【発明の属する技術分野】
本発明は、整流体の取付構造、整流ユニット及び整流フィルタに関する。
【０００２】
【従来の技術】
空気清浄を行うエアフィルタユニットは、一般に、空気中の浮遊微粒子を除去するためのフィルタ濾材と、フィルタ濾材が内側に収納される矩形状の外枠体とを備えている。外枠体は、通常、４本のフレームから構成されている。各フレームは、コ字形状の断面を有し、コ字形状を構成する３つの側面のうち両端にある２つの側面がエアフィルタ濾材の上流側及び下流側にそれぞれ配置される。
【０００３】
この種のエアフィルタユニットでは、エアフィルタユニットの上流側から流れてきた空気は、エアフィルタ濾材を透過する際に浮遊微粒子が取り除かれて清浄化され、エアフィルタユニットの下流側に吹き出される。
従来のエアフィルタユニットとして、下流側に吹き出る空気に対する整流を行うべく、エアフィルタ濾材の下流側に、多数の貫通孔が設けられたプレート部材を配置したものがある（例えば、特許文献１参照。）。このようなプレート部材は、通常、エアフィルタユニットの外枠体の下流側の面にリベット等により固定される。
【０００４】
【特許文献１】
実公平７−５８５５号公報
【０００５】
【発明が解決しようとする課題】
しかしながら、上記エアフィルタユニットにおいて、整流体として、プレート部材に代えて可撓性を有するシート状部材を用いた場合、リベット等によりエアフィルタユニットの外枠体に固定する方法では、シート状部材に弛みが生じる場合がある。このような状態では、エアフィルタユニット下流側での安定した整流効果が得られない。また、製品の最下面より更に撓む場合は、破損のおそれもある。
【０００６】
本目的の目的は、エアフィルタユニットの外枠体に整流体を取り付けたときに、整流体に弛みが生じないようにすることにある。
【０００７】
【課題を解決するための手段】
請求項１に係る整流体の取付構造は、エアフィルタユニットから吹き出る空気の整流を行う整流体をエアフィルタユニットの外枠体の下流側に取り付けるためのものであって、保持枠と、付勢手段とを備えている。保持枠は、整流体を保持するとともにエアフィルタユニットの外枠体に固定される。付勢手段は、整流体が保持枠を介して外枠体に固定された固定状態で、整流体の外周部のうち少なくとも１つの対向する所定部分が互いに離れる向きに引っ張られるよう整流体を付勢する。
【０００８】
この取付構造によれば、整流体は、固定状態では、少なくとも１つの対向する所定部分が付勢手段により互いに離れる向きに引っ張られるよう付勢されるため、対向する所定部分の間では弛みの発生が抑えられる。したがって、この取付構造により整流体をエアフィルタユニットに取り付けた場合、エアフィルタユニット下流側において十分かつ安定された整流効果が得られる。
【０００９】
請求項２に係る整流体の取付構造は、エアフィルタユニットから吹き出る空気の整流を行う可撓性を有する整流体をエアフィルタユニットの外枠体の下流側に取り付けるためのものであって、保持枠と、付勢手段とを備えている。保持枠は、整流体を保持するとともにエアフィルタユニットの外枠体に固定される。付勢手段は、整流体が保持枠を介して外枠体に固定された固定状態で、整流体を上流側または下流側に付勢する。
【００１０】
この取付構造では、整流体は、弛みを生じやすくなっているが、付勢手段によって下流側に付勢されることで対向する所定部分が互いに離れる向きに引っ張られるため、固定状態で弛みが生じるのを抑えることができる。
請求項３に係る整流体の取付構造は、請求項２の取付構造において、付勢手段は、固定部と、支持部とを有している。固定部は、エアフィルタユニットの外枠体または保持枠に固定される。支持部は、整流体を支持する。
【００１１】
この取付構造では、具体的に、整流体は、付勢手段の固定部によりエアフィルタユニットの外枠体に固定され、また、付勢手段の支持部により支持されることで下流側に付勢され、弛みの発生が抑えられている。
請求項４に係る整流体の取付構造は、請求項３の取付構造において、付勢手段の固定部は、エアフィルタユニットの外枠体と保持枠との間に挟持されて固定されている。付勢手段の支持部は、固定部と一体に形成され下流側に延びている。
【００１２】
この取付構造では、さらに具体的に、付勢手段は、固定部が保持枠よりも上流側に配置されており、整流体は、固定部から下流側に延びる支持部により付勢されることで弛みの発生が抑えられている。
請求項５に係る整流体の取付構造は、請求項３に記載の取付構造において、付勢手段の固定部は、保持枠に固定されている。付勢手段の支持部は、固定部と一体に形成され上流側に延びている。
【００１３】
この取付構造では、具体的に、付勢手段は、固定部から上流側に延びる支持部により付勢されることで弛みの発生が抑えられている。
請求項６に係る整流体の取付構造は、請求項４の取付構造において、付勢手段は、緩衝材と、ネジ部材とをさらに有している。緩衝材は、保持枠と固定部との間に配置されかつ弾性を有する。ネジ部材は、保持枠、緩衝材及び固定部を貫通して外枠体に締め付ける。
【００１４】
この取付構造では、ネジ部材を外枠体側に締め付けると、緩衝材は、保持枠と固定部とから圧接力を受けて弾性変形し、保持枠は固定部側に移動する。これにより、整流体は、支持部により強く押圧され、付勢力の強さが増す。
一方、ネジ部材を緩めると、緩衝材は、保持枠と固定部とによる圧接力から解放されて元の形状に戻ろうとするため、保持枠が固定部から離れる方向に移動する。これにより、整流体は、支持部からの押圧力から解放され、付勢力の強さが緩和される。
【００１５】
このように、この取付構造では、ネジ部材の締め付け具合を調節することで、整流体に作用する付勢力の強さを調節することができる。
請求項７に係る整流体の取付構造は、請求項３から６のいずれかの取付構造において、付勢部材の支持部は、整流体に対し湾曲面により当接するよう形成されている。
【００１６】
この取付構造では、付勢手段は、支持部の湾曲面により整流体を支持する構成であるため、整流体は、付勢力を受けて損傷することから回避される。
請求項８に係る整流体の取付構造は、請求項１から３のいずれかの取付構造において、付勢手段は、エアフィルタユニットの外枠体と整流体の所定部分との間に挟持されている。この場合、外枠体は、付勢手段を支持するための部材等を含むことが可能である。
【００１７】
この取付構造では、付勢手段は、外枠体と整流体との間に介在することで、整流体の所定部分を下流側に付勢することができる。
請求項９に係る整流体の取付構造は、請求項１から３のいずれかの取付構造において、付勢手段は、保持枠から延びて形成されるとともに、整流体を上流側または下流側に付勢するような弾性を有している。
【００１８】
この取付構造では、付勢手段は、保持枠体と一体に形成されるとともに整流体を下流側に付勢することができるため、部品点数を少なくすることができる。
請求項１０に係る整流体の取付構造は、請求項１から９のいずれかの取付構造において、保護部材をさらに備えている。保護部材は、保持枠の下流側に配置されるとともに下流側の端部が固定状態での整流体の位置よりも下流側に位置する。
【００１９】
この取付構造では、固定状態において、保護部材は整流体よりも下流側に位置していることから、主に下流側からの外力等から整流体の保護を図ることができる。
請求項１１に係る整流体の取付構造は、請求項１から１０のいずれかの取付構造において、エアフィルタユニットは矩形状である。また、整流体及び保持枠はエアフィルタユニットの形状に対応する形状に形成されている。なお、本発明において、矩形状には正方形も含まれる。
【００２０】
この取付構造では、整流体及び保持枠として矩形状に形成されたものを用いることで、一般的な矩形状のエアフィルタユニットに整流体を取り付ける場合に対応できるようにしている。
請求項１２に係る整流体の取付構造は、請求項１１の取付構造において、保持枠は、対向する２つの直線部を２対有している。また、付勢手段は、保持枠の直線部に沿って配置されるとともに、直線部同士が隣接する部分の近傍では下流側への付勢力を緩和するよう構成されている。
【００２１】
保持枠が矩形状に形成されている場合、整流体は、保持枠の２つの直線部が隣接する部分を含むその近傍（以下、コーナー部ともいう。）においては、下流側への弛み幅を十分に確保できないため、他の部分と同じ付勢力を作用させたのでは、付勢力が強すぎて損傷を受ける場合がある。
そこで、この取付構造では、整流体が保持枠のコーナー部において過剰な付勢力を受けて損傷するのを回避しうるよう、付勢手段を構成している。
【００２２】
請求項１３に係る整流体ユニットは、整流体の取付構造と、整流体とを有している。整流体の取付構造は、請求項１から１２のいずれかに記載のものである。整流体は、取付構造によりエアフィルタユニットの外枠体に取り付けられる。
この整流ユニットは、請求項１から１１のいずれかの取付構造を備えているため、整流体は弛みの発生が抑えられている。したがって、この整流ユニットをエアフィルタユニットに装着した場合、エアフィルタユニットの下流側において十分かつ安定された整流効果が得られる。
【００２３】
請求項１４に係る整流ユニットは、請求項１３の整流ユニットにおいて、整流体は、対向する所定部分の間を横切る少なくとも１つの折り目を有している。
この整流ユニットでは、整流体は、固定状態では、折り目が閉じようとする力に抗して対向する所定部分が互いに離れる向きに引っ張られ、互いに逆向きの力（折り目が閉じようとする力と折り目を広げようとする力）が拮抗した状態となっている。このような状態の整流体は、弛みが生じる余地がなく、また、そのような弛みが発生したとしても吸収されるので、固定状態での弛みの発生を抑えることができる。
【００２４】
請求項１５に係る整流エアフィルタは、整流ユニットと、エアフィルタユニットとを備えている。整流ユニットは、請求項１３または１４に記載のものである。エアフィルタユニットは、整流ユニットが装着される外枠体を有する。
この整流エアフィルタは、請求項１３または１４の整流ユニットを備えているため、整流体は弛みの発生が抑えられている。したがって、この整流エアフィルタでは、エアフィルタユニットの下流側において十分かつ安定された整流効果が得られる。
【００２５】
請求項１６に係る整流エアフィルタは、請求項１５の整流エアフィルタにおいて、エアフィルタユニットは、外枠体の内側に収納されるエアフィルタ濾材をさらに有している。また、この整流エアフィルタは、プレート部材をさらに備えている。プレート部材は、エアフィルタ濾材の下流側を覆うようエアフィルタ濾材と整流体との間に配置され、多数の貫通孔が設けられている。
【００２６】
この整流エアフィルタでは、プレート部材は、主にエアフィルタ濾材の下流側部分を保護するとともに、エアフィルタ濾材を透過する空気を貫通孔を通して下流側に吹き出させる役割を果たす。
ここでは、特に、かかるプレート部材を有する整流エアフィルタにおいても、整流体の弛みの発生を抑えることができる。
【００２７】
【発明の実施の形態】
［第１実施形態］
図１及び図２に、本発明の第１実施形態が採用された整流エアフィルタ１を示す。
この整流エアフィルタ１は、空気の清浄化を行うとともに下流側に吹き出る空気の整流を図るためのものであって、整流ユニット３と、エアフィルタユニット５と、パンチングプレート７とを備えている。
【００２８】
整流ユニット３は、図３に示すように、整流体９と、取付構造１１とを有している。
整流体９は、エアフィルタユニット５の下流側に吹き出る空気の整流を行うための可撓性を有するシート状部材であり、ここでは、網目状のものが用いられる。整流体９は、エアフィルタユニット５の形状に対応して矩形状に形成されており、取付構造１１により保持枠１３を介してエアフィルタユニット５の外枠体３１（後述）に取り付けられる。また、整流体９は、ネジ部材２３（後述）に貫通される貫通孔を有している。
【００２９】
取付構造１１は、整流体９をエアフィルタユニット５の外枠体３１の下流側に取り付けるためのものであって、保持枠１３と、付勢機構１７と、シート部材（保護部材）１５とを備えている。
保持枠１３は、整流体９の外周部を保持しエアフィルタユニット５の外枠体３１に固定される枠体であり、４本のフレーム（直線部）１３ａが矩形状に組み立てられてなる。各フレーム１３ａは、図４に示すように、整流体９の外周部を挟持するよう折り返されることで整流体９を保持している。なお、整流体９は、本実施形態では、ある程度弛んだ状態で保持枠１３に保持されることにより、所定の弛み代を有している。
【００３０】
付勢機構１７は、整流体９が保持枠１３を介してエアフィルタユニット５の外枠体３１に固定された状態（以下、固定状態ともいう。）で、整流体９の少なくとも１つの対向する所定部分（例えば、整流体９の保持枠１３に保持された外周部のうち、対向するフレーム１３ａに保持された部分）が互いに外側に離れる向きに引っ張られるよう整流体９を付勢するための機構であって、付勢部材１９と、ガスケット（緩衝材）２１と、ネジ部材２３とを有している。
【００３１】
付勢部材１９は、整流体９を、固定状体で、下流側に付勢するための部材であり、固定部２５と、支持部２７とを有している。
固定部２５は、エアフィルタユニット５の外枠体３１に対し固定される部分であり、下流側に配置されたガスケット２９（後述）の下流側の面と、保持枠１３との間に挟持されている。また、固定部２５には、ネジ部材２３に貫通される貫通孔（図示せず）が形成されている。
【００３２】
支持部２７は、固定部２５と一体に形成され下流側に延びる部分であり、整流体９を上流側から支持する。支持部２７の先端部は、整流体９に対し湾曲面により当接するよう湾曲して形成さている。
ガスケット２１は、保持枠１３と、付勢部材１９の固定部２５との間に配置される弾性部材であり、本実施形態では、エチレンプロピレンジエン三元共重合体からなる合成ゴム（以下、ＥＰＤＭゴム）を材質とする。また、ガスケット２１には、ネジ部材２３に貫通される貫通孔（図示せず）が形成されている。
【００３３】
ネジ部材２３は、保持枠１３、ガスケット２１及び付勢部材１９の固定部２５を貫通してエアフィルタユニット５の外枠体３１に締め付けるための部材であり、先端部は外枠体３１のネジ孔３１ａに螺合可能である。
このように構成される付勢機構１７は、保持枠１３の各直線部１３ａに沿って配置されており、図３に示すように、２つの直線部１３ａが隣接する部分を含むその近傍（以下、コーナー部ともいう。）での整流体９の損傷を防止するために下流側への付勢力を緩和すべく、支持部２７の、直線部１３ａの延びる方向の両側の上端部にはテーパ部２７ａが形成されている。
【００３４】
シート部材１５は、ここでは、ポリテトラフルオロエチレン（以下、ＰＴＦＥ）からなる樹脂性部材であり、保持枠１３の下流側に配置され、固定状態において下流側の端面が整流体９よりも下流側に位置するような寸法設計で構成されている。また、シート部材１５には、ネジ部材２３に貫通される貫通孔（図示せず）が形成されている。
【００３５】
エアフィルタユニット５は、空気の清浄化を行うためのものであって、外枠体３１と、ガスケット２９と、エアフィルタ濾材３３とを有している。
外枠体３１は、４本のアルミニウム製フレーム３２から構成され、これらを矩形状に組み立てることにより得られる。各フレーム３２の下流側の部分には整流ユニット３が取り付けられる。また、外枠体３１の下流側の面には、ネジ部材２３の先端部が螺合するためのネジ孔３１ａが複数箇所に形成されている。
【００３６】
ガスケット２９は、外枠体３１の下流側の面に全周にわたり接着された弾性部材であり、ガスケット２１と同様、ＥＰＤＭゴムを材質とする。また、ガスケット２９には、ネジ部材２３に貫通される貫通孔（図示せず）が形成されている。
エアフィルタ濾材３３は、空気中の浮遊微粒子を取り除くためのシート状部材であり、外枠体３１の内側に収納される。なお、エアフィルタ部材３３は、ジグザグに交互に折り返されて複数の折り目を有しており、全体として波型形状に加工（プリーツ加工）されている。また、エアフィルタ濾材３３の表面には、隣接する折返し部分の間隔を確保するためのスペーサ３４が、プリーツ加工された方向（エアフィルタ濾材の複数の折返し部分が連続する方向）に延びて設けられるとともに各折り目が延びる方向に等間隔で複数本設けられている。
【００３７】
パンチングプレート７は、エアファイルタ濾材３３の下流側部分を保護するためのプレート部材であって、板厚方向に貫通して設けられた多数の貫通孔７ａを有している。パンチングプレート７は、エアフィルタ濾材３３の下流側を覆うようエアフィルタ濾材３３に隣接して外枠体３１の内側に配置されている。
このように構成された整流エアフィルタ１を組み立てる場合、まず、公知の方法（例えば、特開２００１−１７０４６１号公報に示される方法）によりエアフィルタユニット５を組み立てる。このとき、パンチングプレート７も、エアフィルタ濾材３３とともに外枠体３１の内側に収納する。一方、保持枠１３の４つの直線部１３ａにより、図４に示すように、整流体９が所定の弛み代を有するよう整流体９の外周部を保持する。そして、エアフィルタユニット１のガスケット２９の下流側に、付勢部材１９の固定部２５、ガスケット２１、保持枠１３及びシート部材１５を順に配置して、これらの各貫通孔を貫通するよう、図２に示すように、ネジ部材２３の先端部をネジ孔３１ａに螺合させて締め付ける。
【００３８】
ネジ部材２３の締め付け具合を大きくすると、図５に模式的に示すように、整流体９は、上流側に移動することにより、保持枠１３により保持された部分の近傍部分が付勢部材１９の支持部２７からの押圧力を受け、下流側に付勢される。これにより、整流体９は、対向する２つの支持部２７の間においては弛みの発生が抑えられている。最後に、整流体９に所定の張力が得られた時点で、ネジ部材２３の締め付けを止めることで、整流エアフィルタ１が得られる。
【００３９】
このようにして組み立てられた整流エアフィルタ１は、整流体９は、付勢部材１９により下流側に付勢されることで弛みの発生が抑えられているため、フィルタ下流側での整流効果を十分に図ることができる。
なお、整流体９に作用する張力は、ネジ部材２３を上記のように締め付けまたは緩めることで締め付け具合を調節することにより、調整可能である。
【００４０】
［第２実施形態］
ここでは、上記実施形態との相違に注目して説明する。
図６に、本発明の第２実施形態が採用された整流エアフィルタ４１の要部を示す。
この整流エアフィルタ４１は、整流ユニット４３と、エアフィルタユニット４５とを備えている。
【００４１】
整流ユニット４３は、整流体４９と、取付構造５１とを有している。取付構造５１は、保持枠５３と、付勢機構５５と、シート部材５７とを有している。保持枠５３には、ネジ部材５９（後述）が貫通して配置される貫通孔（図示せず）が設けられている。付勢機構５５は、ＥＰＤＭゴムを材質とする弾性部材５８と、保持枠５３とエアフィルタユニット４５の外枠体６０との間に配置されるガスケット４２と、保持枠５３を外枠体６０に締め付けるためのネジ部材５９とを有している。
【００４２】
弾性部材５８は、図示されるように、外枠体６０の下流側の面の内周側部分と整流体４９とにより挟持されている。また、弾性部材５８は、図７及び図８に示すようにコーナー部を除いて保持枠５３に沿って配置されている。
この整流エアフィルタ４１を組み立てる場合、まず、第１実施形態と同様、エアフィルタユニット４５を公知の方法により作成するとともに、整流体４９を弛み代を持たせて保持枠５３により保持する。次いで、図７及び図８に示すように、エアフィルタユニット４５の外枠体６０の下流側の面上の内周側に弾性部材５５を接着剤等を用いて固定するとともに、弾性部材５５の外周側に保持枠５３を載置し、ネジ部材５９を、シート部材５７、保持枠５３及びガスケット４２を順に貫通させて締め付けることにより外枠体６０に固定する。
【００４３】
このようにして組み立てられた整流エアフィルタ４１では、整流体４９は、整流体４９と外枠体６０との間に挟持された弾性部材５８により下流側に付勢されている。したがって、この整流エアフィルタ４１でも、整流体４９に弛みが生じるのを抑えることができ、フィルタ下流側での整流効果を十分に図ることができる。
【００４４】
また、この整流エアフィルタ４１では、付勢機構５５の構成が簡単になる。
［第３実施形態］
ここでも、上記実施形態との相違に注目して説明する。
図９に、本発明の第３実施形態が採用された整流エアフィルタ６１の要部を示す。
【００４５】
この整流エアフィルタ６１は、整流ユニット６３と、エアフィルタユニット６５と、パンチングプレート６７とを備えている。
整流ユニット６３は、整流体６９と、取付構造７１とを有している。取付構造７１は、保持枠７３と、付勢機構７５と、シート部材７７とを有している。付勢機構７５は、付勢部７６と、ネジ部材７９とを有している。付勢部７６は、保持枠７３から延びて形成され、整流体６９を下流側に付勢するような弾性を有するような寸法設計及び材質で構成されている。また、付勢部７６は、先端部が整流体６９に対して湾曲面により当接するよう湾曲して形成されている。なお、保持枠７３及び付勢部７６が合流する部分は、角部７８が形成されている。また、保持枠７３及び付勢部７６は、コーナー部を除いて配置される。
【００４６】
エアフィルタユニット６５は、外枠体８０を有しており、外枠体８０の下流側の面には、外周側部分が内周側部分より上流側に位置するよう段差部８０ａが形成されている。
この整流エアフィルタ６１を組み立てる場合、まず、上記実施形態と同様、エアフィルタユニット６５を公知の方法により作成するとともに、整流体６９が所定の弛み代を有するよう保持枠７３により整流体６９を保持する。次いで、図１０に示すように、まず、整流体６９が弛みを有した状態で、角部７８が外枠体６０の段差部８０ａに支持されかつ付勢部７６及び保持枠７３が内周側に傾いた姿勢を取るよう、保持枠７３及び付勢部７６を段差部８０ａに配置する。この状態で、保持枠７３の上流側の端面を段差部８０ａより外周側にある外枠体８０の下流側の面に近づけるよう、角部７８を支点として保持枠７３及び付勢部７６を回動させ、保持枠７３が外枠体６０にある程度近づいた時点で、ネジ部材７９を、保持枠７３及び整流体６９を貫通させて外枠体６０に締め付ける。
【００４７】
このとき、付勢部７６は、整流体６９を下流側に付勢する一方、整流体６９からの反発力により上流側に押圧されて弾性変形する。このとき、ネジ部材７９の締め付けの程度により、付勢部７６が整流体６９に及ぼす付勢力の大きさを調節することができる。
したがって、この整流エアフィルタ６１でも、整流体６９に弛みが生じるのを抑えることができ、フィルタ下流側での整流効果を十分に図ることができる。
【００４８】
［第４実施形態］
ここでも、上記実施形態との相違に注目して説明する。
図１１に、本発明の第４実施形態が採用された整流エアフィルタ８１の要部を示す。
この整流エアフィルタ８１は、整流ユニット８３と、エアフィルタユニット８５とを備えている。
【００４９】
整流ユニット８３は、整流体８９と、取付構造９１とを有している。整流体８９は、対向する所定部分（ここでは、対向する２つの直線部９３ａにより保持される整流体８９の部分）を横切る複数の折り目８９ａを有している。これらの折り目８９ａは、整流体８９をジグザグに交互に折り返すことで形成される。折り目８９ａの数は、適切な付勢力が得られるよう、エアフィルタユニット８５の大きさ等を考慮して決定される。取付構造９１は、保持枠９３と、シート部材９７とを有している。
【００５０】
この整流エアフィルタ８１を組み立てる場合は、まず、上記実施形態と同様、エアフィルタユニット８５を公知の方法により作成する。そして、整流体８９の複数の各折り目３１ａがある程度広がるだけの余裕を残して、整流体８９の外周部を保持枠９３で保持する。次いで、ネジ部材９９によりシート部材９７及び保持枠９３を外枠体１００に締め付ける。
【００５１】
このようにして得られた整流エアフィルタ８１では、整流体８９は、保持枠９３に保持されることで対向する所定部分が互いに離れる向きに引っ張られるよう付勢されるとともに、複数の折り目８９ａがそれぞれ閉じようとすることで対向する所定部分が互いに近づく向きに引っ張られるよう付勢されている。このような整流体８９では、弛みが生じることがなく、または、弛みを生じさせても複数の折り目８９ａによって吸収される。したがって、この整流エアフィルタ８１でも、整流体８９に弛みが生じるのを抑えることができ、フィルタ下流側での整流効果を十分に図ることができる。
【００５２】
［第５実施形態］
ここでも、上記実施形態との相違に注目して説明する。
図１２に、本発明の第５実施形態が採用された整流エアフィルタ１０１の要部を示す。
この整流エアフィルタ１０１は、整流ユニット１０３と、エアフィルタユニット１０５と、パンチングプレート１０７とを備えている。
【００５３】
整流ユニット１０３は、整流体１０９と、取付構造１１１とを有している。取付構造１１１は、保持枠１１３と、付勢機構１１５と、シート部材１１７とを有している。保持枠１１３には、ネジ部材１１９（後述）が貫通して配置される貫通孔（図示せず）が設けられている。付勢機構１１５は、保持枠１１３から下流側に延びる支持部１１６と、保持枠１１３を外枠体１２０に締め付けるためのネジ部材１１９とを有している。
【００５４】
エアフィルタユニット１０５の外枠体１２０の下流側の面にはガスケット１１８が固定されている。
保持枠１１３により整流体１０９を保持させる場合は、図１３に示すように、まず、整流体１０９にある程度の弛み代を持たせつつ、整流体１０９の外周部を、保持枠１１３を構成する直線状部１１３ａにより挟持する。このとき、直線状部１１３ａの上流側部分１１３ｂが下流側部分１１３ｃよりも内周側に突出するよう折返し、次いで、図１４に示すように、上流側部分１１３ｂの下流側部分１１３ｃよりも内周側に突出する部分を下流側に折返して支持部１１６を形成するとともに、支持部１１６の先端部に湾曲面を形成する。
【００５５】
この整流エアフィルタ１０１を組み立てる場合、上記第１実施形態と同様、エアフィルタユニット１０５を公知の方法により作成するとともに、整流体１０９が弛み代を有するよう保持枠１１３により整流体１０９を保持する。次いで、ガスケット１１８の下流側に保持枠１１３及びシート部材１１７を配置し、ネジ部材１１９を、シート部材１１７、保持枠１１３及びガスケット１１８を貫通するよう外枠体１２０に締め付ける。このとき、整流体１０９は、支持部１１６の湾曲面から押圧力を受けることで下流側に付勢され、弛みの発生が抑えられている。したがって、この整流エアフィルタ１０１でも、フィルタ下流側での整流効果を十分に図ることができる。
【００５６】
［他の実施形態］
（ａ）上記各実施形態は、単独で実施されるのみでなく、２以上の実施形態を適宜組み合わせて実施されることが可能である。
（ｂ）第２実施形態において、エアフィルタユニット４５の外枠体６０は、図１５に示すように、枠体本体１２１に固定された支持部材１２２を有していてもよい。この場合、弾性部材５８は、支持部材１２２と整流体４９との間に挟持されており、整流体４９を下流側に付勢することができる。
【００５７】
（ｃ）第２実施形態では、図１６に示すように、付勢部材をその上流側及び下流側が逆になるよう配置してもよい。すなわち、この整流エアフィルタ１’では、整流体９’は、付勢手段２９’の支持部２７’により上流側に押圧されることで、上流側に付勢されている。なお、図１６ではガスケット２１’は示されていないが、必要に応じて配置してもよい。図１６中の符号は、図２に示す符号に’を付したものに相当する。
【００５８】
（ｄ）保持枠は、４つの直線部で構成されるものに限定されず、例えば、対向して配置される２つの直線部のみで構成されるものであってもよい。また、保持枠は、例えば、４つの直線部で構成される場合であっても、コーナー部を形成する２つの直線部が互いに接触しないよう配置されてもよい。
（ｅ）整流エアフィルタは、パンチプレートを必要に応じて備えることができる。
【００５９】
（ｆ）整流エアフィルタの付勢機構は、保持枠と外枠体との間に配置される緩衝材を、必要に応じて備えることができる。
（ｇ）整流エアフィルタのエアフィルタユニットは、外枠体の下流側に設けられるガスケットを、必要に応じて備えることができる。
【００６０】
【発明の効果】
請求項１に係る整流体の取付構造によれば、整流体は、固定状態では、対向する所定部分の間では弛みの発生が抑えられるため、この取付構造により整流体をエアフィルタユニットに取り付けた場合、エアフィルタユニット下流側において十分かつ安定された整流効果が得られる。
【００６１】
請求項２に係る整流体の取付構造では、整流体は、弛みを生じやすくなっているが、付勢手段によって下流側に付勢されることで対向する所定部分が互いに離れる向きに引っ張られるため、固定状態で弛みが生じるのを抑えることができる。
請求項３に係る整流体の取付構造では、具体的に、整流体は、付勢手段の固定部によりエアフィルタユニットの外枠体に固定され、また、付勢手段の支持部により支持されることで下流側に付勢され、弛みの発生が抑えられている。
【００６２】
請求項４に係る整流体の取付構造では、さらに具体的に、付勢手段は、固定部が保持枠よりも上流側に配置されており、整流体は、固定部から下流側に延びる支持部により付勢されることで弛みの発生が抑えられている。
請求項５に係る整流体の取付構造では、具体的に、付勢手段は、固定部から上流側に延びる支持部により付勢されることで弛みの発生が抑えられている。
【００６３】
請求項６に係る整流体の取付構造では、ネジ部材の締め付け具合を調節することで、整流体に作用する付勢力の強さを調節することができる。
請求項７に係る整流体の取付構造では、付勢手段は、支持部の湾曲面により整流体を支持する構成であるため、整流体は、付勢力を受けて損傷することから回避される。
【００６４】
請求項８に係る整流体の取付構造では、付勢手段は、外枠体と整流体との間に介在することで、整流体の所定部分を下流側に付勢することができる。
請求項９に係る整流体の取付構造では、付勢手段は、保持枠体と一体に形成されるとともに整流体を下流側に付勢することができるため、部品点数を少なくすることができる。
【００６５】
請求項１０に係る整流体の取付構造では、固定状態において、保護部材は整流体よりも下流側に位置していることから、主に下流側からの外力等から整流体の保護を図ることができる。
請求項１１に係る整流体の取付構造では、整流体及び保持枠として矩形状に形成されたものを用いることで、一般的な矩形状のエアフィルタユニットに整流体を取り付ける場合に対応できるようにしている。
【００６６】
請求項１２に係る整流体の取付構造では、整流体が保持枠のコーナー部において過剰な付勢力を受けて損傷するのを回避しうるよう、付勢手段を構成している。
請求項１３に係る整流体ユニットをエアフィルタユニットに装着した場合、エアフィルタユニットの下流側において十分かつ安定された整流効果が得られる。
【００６７】
請求項１４に係る整流ユニットでは、整流体は、弛みが生じる余地がなく、また、そのような弛みが発生したとしても吸収されるので、固定状態での弛みの発生を抑えることができる。
請求項１５に係る整流エアフィルタでは、整流体は弛みの発生が抑えられているため、エアフィルタユニットの下流側において十分かつ安定された整流効果が得られる。
【００６８】
請求項１６に係る整流エアフィルタでは、特に、エアフィルタ濾材を保護するためのプレート部材を有する整流エアフィルタにおいても、整流体の弛みの発生を抑えることができる。
【図面の簡単な説明】
【図１】本発明の一実施形態が採用された整流エアフィルタを一部を破断して示す斜視図。
【図２】図１の整流エアフィルタの要部を示す縦断面図。
【図３】本発明の一実施形態が採用された整流ユニットの一部を示す斜視図。
【図４】前記整流ユニットの保持枠及び整流体の一部を示す縦断面図。
【図５】前記整流体が付勢手段により付勢される様子を示す説明図。
【図６】本発明の第２実施形態が採用された整流エアフィルタの要部を示す縦断面図。
【図７】図６の整流エアフィルタの弾性部材の配置を説明する要部上面図。
【図８】図６の整流エアフィルタの弾性部材の配置を示す要部縦断面図。
【図９】本発明の第３実施形態が採用された整流エアフィルタの要部を示す縦断面図。
【図１０】図９の整流エアフィルタを組み立てる様子を示す説明図。
【図１１】本発明の第４実施形態が採用された整流エアフィルタの要部を示す縦断面図。
【図１２】本発明の第５実施形態が採用された整流エアフィルタの要部を示す縦断面図。
【図１３】保持枠により整流体を保持させる場合について説明する説明図。
【図１４】保持枠により整流体を保持させる場合について説明する説明図。
【図１５】図６の整流エアフィルタの他の例の要部を示す縦断面図。
【図１６】図６の整流エアフィルタの他の実施形態の要部を示す縦断面図。
【符号の説明】
１，４１，６１，８１，１０１  整流エアフィルタ
３，４３，６３，８３，１０３  整流ユニット
５，４５，６５，８５，１０５  エアフィルタユニット
７，６７，１０７  パンチングプレート
９，４９，６９，８９，１０９  整流体
１１，５１，７１，９１，１１１  取付構造
１３，５３，７３，９３，１１３  保持枠
１３ａ，１１３ａ  直線部
１５，５７，７７，９７，１１７  シート部材
１７，５５，７５，１１５  付勢機構
１９  付勢部材
２１，４２  ガスケット
２３，７９，９９，１１９  ネジ部材
２５  固定部
２７  支持部
３１，６０，８０，１００，１２０  外枠体
３３  エアフィルタ濾材
５８  弾性部材
７６  付勢部
８２ａ  折り目
１１６  支持部
【図１】
2004167323.tif 000003
【図２】
2004167323.tif 000004
【図３】
2004167323.tif 000005
【図４】
2004167323.tif 000006
【図５】
2004167323.tif 000007
【図６】
2004167323.tif 000008
【図７】
2004167323.tif 000009
【図８】
2004167323.tif 000010
【図９】
2004167323.tif 000011
【図１０】
2004167323.tif 000012
【図１１】
2004167323.tif 000013
【図１２】
2004167323.tif 000014
【図１３】
2004167323.tif 000015
【図１４】
2004167323.tif 000016
【図１５】
2004167323.tif 000017
【図１６】
2004167323.tif 000018